(57)【特許請求の範囲】
【請求項１】
データの送出予定を示すプレイリストを作成するプレイリスト作成部と、前記プレイリストに基づいてデータを送出するデータ送出部とが、ネットワークで結ばれたデータ送出システムであって、
前記プレイリスト作成部は、
プレイリストに、送出スタンバイを指示する属性を付与する属性付与手段と、
作成したプレイリストと、該プレイリストに付与された前記属性の情報とを、ネットワークを介して前記データ送出部に転送する転送手段とを備え、
前記データ送出部は、
送出スタンバイを行う時刻を設定する時刻設定手段と、
前記時刻設定手段で設定された時刻に、前記プレイリスト作成部から転送されたプレイリストに前記属性が付与されているか否かを前記属性の情報から判断し、前記属性が付与されているプレイリストに基づいて送出スタンバイを行う送出スタンバイ手段とを備えた
データ送出システム。
【請求項２】
請求項１に記載のデータ送出システムにおいて、
前記送出スタンバイ手段は、毎日、前記時刻設定手段で設定された時刻から２４時間以内に放送開始予定のプレイリストが前記プレイリスト作成部から転送されているか否かを判断するとともに、前記プレイリスト作成部から転送されたプレイリストに前記属性が付与されているか否かを前記属性の情報から判断し、２４時間以内に放送開始予定であり且つ前記属性が付与されているプレイリストに基づいて送出スタンバイを行う
データ送出システム。
【請求項３】
請求項１または２に記載のデータ送出システムにおいて、
前記プレイリスト作成部は、プレイリストに加えられるデータの送出を直ちに開始する条件である送出トリガーを、一定の時刻が到来したこと、前記データ送出部において操作画面で送出開始の操作が行われたこと、または上位装置から送出指示の信号を受信したことの３通りの中から任意に設定する送出トリガー設定手段をさらに備え、
前記転送手段は、前記送出トリガー設定手段で設定された送出トリガーの情報をプレイリストとともに転送し、
前記データ送出部は、前記送出スタンバイ手段で送出スタンバイが行われているデータについて、前記プレイリスト作成部から転送された送出トリガーが一定の時刻の到来である場合には該時刻が到来すると送出トリガーが到来したと判断し、前記転送された送出トリガーが操作画面での送出開始の操作である場合には該操作が行われると送出トリガーが到来したと判断し、前記転送された送出トリガーが上位装置からの送出指示の信号の受信である場合には該信号を受信すると送出トリガーが到来したと判断して、該データの送出を開始する送出開始手段をさらに備えた
データ送出システム。
【請求項４】
請求項１乃至３のいずれかに記載のデータ送出システムにおいて、
前記プレイリスト作成部は、
データが記録される記録再生手段と、
作成したプレイリストのうち前記データ送出部に転送するプレイリストを選択する選択手段と、
プレイリストの転送開始を指示する指示手段とをさらに備え、
前記転送手段は、前記指示手段からの指示に基づき、前記選択手段で選択されたプレイリストに従って前記データを前記記録再生手段から再生させ、該プレイリスト及び該データをネットワークを介して前記データ送出部に転送し、
前記データ送出部は、前記プレイリスト作成部から転送されたデータを記録する記録再生手段をさらに備えた
データ送出システム。
【請求項５】
請求項４に記載のデータ送出システムにおいて、
前記プレイリスト作成部の記録再生手段及び前記データ送出部の記録再生手段は、それぞれノンリニアアクセス可能な記録媒体を用いたものである
データ送出システム。
【請求項６】
データの送出予定を示すプレイリストを作成するプレイリスト作成部と、前記プレイリストに基づいてデータを送出するデータ送出部とをネットワークで結んだデータ送出システムにおける送出スタンバイ方法において、
前記プレイリスト作成部において、プレイリストに、送出スタンバイを指示する属性を付与する第１ステップと、
前記プレイリスト作成部において、作成したプレイリストと、前記第１ステップで該プレイリストに付与した前記属性の情報とを、ネットワークを介して前記データ送出部に転送する第２ステップと、
前記データ送出部において、送出スタンバイを行う時刻を設定する第３ステップと、
前記データ送出部において、前記第３ステップで設定された時刻に、前記プレイリスト作成部から転送されたプレイリストに前記属性が付与されているか否かを前記属性の情報から判断し、前記属性が付与されているプレイリストに基づいて送出スタンバイを行う第４ステップとを有する
送出スタンバイ方法。
【請求項７】
請求項６に記載の送出スタンバイ方法において、
前記第４ステップでは、毎日、前記第３ステップで設定された時刻から２４時間以内に放送開始予定のプレイリストが前記プレイリスト作成部から転送されているか否かを判断するとともに、前記プレイリスト作成部から転送されたプレイリストに前記属性が付与されているか否かを判断し、２４時間以内に放送開始予定であり且つ前記属性が付与されているプレイリストに基づいて送出スタンバイを行う
送出スタンバイ方法。
【請求項８】
請求項６または７に記載の送出スタンバイ方法において、
前記プレイリスト作成部において、プレイリストに加えられるデータの送出を直ちに開始する条件である送出トリガーを、一定の時刻が到来したこと、前記データ送出部において操作画面で送出開始の操作が行われたこと、または上位装置から送出指示の信号を受信したことの３通りの中から任意に設定するステップをさらに有し、
前記第２ステップで、前記送出トリガーの情報をプレイリストとともに転送し、
前記データ送出部において、前記第４ステップで送出スタンバイを行っているデータについて、前記プレイリスト作成部から転送された送出トリガーが一定の時刻の到来である場合には該時刻が到来すると送出トリガーが到来したと判断し、前記転送された送出トリガーが操作画面での送出開始の操作である場合には該操作が行われると送出トリガーが到来したと判断し、前記転送された送出トリガーが上位装置からの送出指示の信号の受信である場合には該信号を受信すると送出トリガーが到来したと判断して、該データの送出を開始するステップをさらに有する
送出スタンバイ方法。
【請求項９】
請求項６乃至８のいずれかに記載の送出スタンバイ方法において、
前記プレイリスト作成部において、データを記録するステップと、
前記プレイリスト作成部において、作成したプレイリストのうち前記データ送出部に転送するプレイリストを選択するステップと、
前記プレイリスト作成部において、前記選択したプレイリストに従って、前記記録したデータを再生し、該プレイリスト及び該データを前記ネットワークを介して前記データ送出部に転送するステップと、
前記データ送出部において、前記プレイリスト作成部から転送されたデータを記録するステップとをさらに有する
送出スタンバイ方法。
【請求項１０】
請求項９に記載の送出スタンバイ方法において、
前記プレイリスト作成部及び前記データ送出部は、それぞれノンリニアアクセス可能な記録媒体を用いた記録再生手段にデータを記録する
送出スタンバイ方法。
【発明の詳細な説明】
【０００１】
【発明の属する技術分野】
本発明は、例えば或る地域のＣＡＴＶ（ケーブルテレビジョン）の放送局で作成した素材を他の地域のＣＡＴＶの放送局に配信してその放送局から送出させるＣＡＴＶシステムに関する。
【０００２】
【従来の技術】
今日、比較的狭い範囲の地域（例えば１つの市区町村内）をサービスエリアとするＣＡＴＶの放送局が全国に設立されている。
【０００３】
各地域のＣＡＴＶの放送局からは、それぞれ独自に作成した素材（番組等）が送出されることもある。しかし、或る地域のＣＡＴＶの放送局が、作成した素材を自局から送出するだけでなく、作成した素材とその送出予定を示すプレイリストとを他の地域のＣＡＴＶの放送局に配信して、その放送局からそのプレイリストに従って素材を送出させること（すなわち、前者と後者とがそれぞれ親局と支局との関係に立つこと）も少なくない。
今
【０００４】
このように互いに異なる地域のＣＡＴＶの放送局が親局と支局との関係に立つ場合、親局から配信された素材を支局から送出するためには、支局側で、親局から配信されたプレイリストに基づき、送出トリガー（例えば一定の時刻）の到来によって直ちにそのプレイリストに載っている素材の送出が開始されるように、送出スタンバイを行う必要がある。
【０００５】
従来、この支局側での送出スタンバイを行う方法としては、支局の局員が、親局から配信されたプレイリストを毎日確認し、当日送出予定の素材があれば、送出スタンバイのための操作を端末装置等で行うという方法が採られていた。
【０００６】
【発明が解決しようとする課題】
しかし、こうした送出スタンバイの方法では、支局の局員の作業の負担が大きかった。
【０００７】
また、こうした送出スタンバイの方法では、送出スタンバイを行う役割の局員に人為ミスがあった場合（プレイリストから当日送出予定の素材を見落としたために送出スタンバイのための操作を行わなかった場合や、送出スタンバイのための操作を行うのを忘れた場合や、送出スタンバイのための操作を送出トリガーのあった後に遅れて行った場合）、当日送出予定の素材が支局から送出されなくなってしまう。
【０００８】
また、こうした送出スタンバイの方法では、送出スタンバイを行うための局員が支局内にいることが必要なので、例えば独自に素材を作成することなく親局から配信された素材だけを送出する支局でも、無人化することができなかった。
【０００９】
他方、こうしたＣＡＴＶサービスとは別に、今日、公共の場所（例えば駅・空港の施設内や街頭のビルディングの壁面）に設置された大画面のディスプレイを用いて素材を送出するサービスも普及している。このサービスにおいて、素材とその送出予定を示すプレイリストとは、ディスプレイの設置場所からは通常遠く離れた編集室で作成されて、ディスプレイの設置場所に配信される。
【００１０】
こうした公共の場所のディスプレイを用いた送出サービスにおいても、素材を送出するためには、やはりディスプレイの設置場所の側で、そのプレイリストに基づき、送出トリガーの到来によって直ちにそのプレイリストに載っている素材の送出が開始されるように、送出スタンバイを行う必要がある。
【００１１】
従来、このディスプレイの設置場所の側での送出スタンバイを行う方法としても、ディスプレイの設置場所に係員が毎日出向いて、プレイリストを確認し、当日送出予定の素材があれば、送出スタンバイのための操作を行うという方法が採られていた。
【００１２】
したがって、やはり、係員の作業の負担が大きく、人為ミスがあった場合には当日送出予定の素材が送出されなくなり、またディスプレイの設置場所を常時無人化することができなかった。
【００１３】
本発明は、上述の点に鑑み、ＣＡＴＶサービスにおいて、支局側で、親局から配信されたプレイリストに基づく送出スタンバイを局員の作業を経ずに行えるようにすることや、公共の場所のディスプレイを用いた送出サービスにおいて、ディスプレイの設置場所の側で、編集室から配信されたプレイリストに基づく送出スタンバイを係員の作業を経ずに行えるようにすることを課題としてなされたものである。
【００１４】
【課題を解決するための手段】
この課題を解決するために、本出願人は、データの送出予定を示すプレイリストを作成するプレイリスト作成部と、そのプレイリストに基づいてデータを送出するデータ送出部とが、ネットワークで結ばれたデータ送出システムであって、プレイリスト作成部は、プレイリストに、送出スタンバイを指示する属性を付与する属性付与手段と、作成したプレイリスト及びそのプレイリストに付与されたこの属性の情報を、ネットワークを介してデータ送出部に転送する転送手段とを備え、データ送出部は、送出スタンバイを行う時刻を設定する時刻設定手段と、この時刻設定手段で設定された時刻に、プレイリスト作成部から転送されたプレイリストにこの属性が付与されているか否かをこの属性の情報から判断し、この属性が付与されているプレイリストに基づいて送出スタンバイを行う送出スタンバイ手段とを備えたデータ送出システムを提案する。
【００１５】
このデータ送出システムでは、プレイリスト作成部において、プレイリストに、送出スタンバイを指示する属性が属性付与手段により付与される。そして、プレイリスト作成部において、転送手段により、作成したプレイリストと、そのプレイリストに付与されたこの属性の情報とが、ネットワークを介してデータ送出部に転送される。
【００１６】
そして、データ送出部において、時刻設定手段により設定された時刻に、送出スタンバイ手段により、プレイリスト作成部から転送されたプレイリストにこの属性が付与されているか否かがこの属性の情報から判断され、属性が付与されているプレイリストに基づいて送出スタンバイが行われる。
【００１７】
このように、このデータ送出システムによれば、データ送出部側で、プレイリスト作成部から転送されたプレイリストに基づく送出スタンバイが、人の作業を経ることなく、時刻設定手段により設定された時刻に自動的に行われる。
【００１８】
したがって、例えばＣＡＴＶサービスにこのデータ送出システムを適用すれば（すなわち、親局にプレイリスト作成部を設け、支局にデータ送出部を設けて両者をネットワークで結べば）、支局側で、親局から配信されたプレイリストに基づく送出スタンバイを、従来のような局員の作業を経ることなく自動的に行えるようになる。
【００１９】
また、例えば公共の場所のディスプレイを用いた送出サービスにこのデータ送出システムを適用すれば（すなわち、編集室にこのプレイリスト作成部を設け、ディスプレイの設置場所にデータ送出部を設けて両者をネットワークで結べば）、ディスプレイの設置場所の側で、編集室から配信されたプレイリストに基づく送出スタンバイを、従来のような係員の作業を経ることなく自動的に行えるようになる。
【００２０】
なお、このデータ送出システムにおいて、送出スタンバイ手段を、毎日、時刻設定手段で設定された時刻から２４時間以内に放送開始予定のプレイリストがプレイリスト作成部から転送されているか否かを判断するとともに、プレイリスト作成部から転送されたプレイリストにこの属性が付与されているか否かをこの属性の情報から判断し、２４時間以内に放送開始予定であり且つ属性が付与されているプレイリストに基づいて送出スタンバイを行うものとして構成することが好適である。
【００２１】
それにより、一度時刻設定手段で時刻を設定することにより、プレイリスト作成部から転送されたプレイリストに基づく送出スタンバイが、人の作業を経ることなく毎日一定の時刻に自動的に行われるようになる。
【００２２】
また、このデータ送出システムにおいて、プレイリスト作成部に、プレイリストに加えられるデータの送出を直ちに開始する条件である送出トリガーを、一定の時刻が到来したこと、データ送出部において操作画面で送出開始の操作が行われたこと、または上位装置から送出指示の信号を受信したことの３通りの中から任意に設定する送出トリガー設定手段をさらに備え、転送手段を、この送出トリガー設定手段で設定された送出トリガーの情報をプレイリストとともに転送するものとして構成し、データ送出部に、送出スタンバイ手段で送出スタンバイが行われているデータについて、プレイリスト作成部から転送された送出トリガーが一定の時刻の到来である場合には該時刻が到来すると送出トリガーが到来したと判断し、転送された送出トリガーが操作画面での送出開始の操作である場合には該操作が行われると送出トリガーが到来したと判断し、転送された送出トリガーが上位装置からの送出指示の信号の受信である場合には該信号を受信すると送出トリガーが到来したと判断して、そのデータの送出を開始する送出開始手段をさらに備えることが好適である。
【００２３】
それにより、データ送出部側で送出トリガーを設定する操作を行うことなく、プレイリスト作成部側で設定した送出トリガーの到来（設定された送出トリガーが一定の時刻の到来である場合には該時刻が到来したこと、設定された送出トリガーが操作画面での送出開始の操作である場合には該操作が行われたこと、設定された送出トリガーが上位装置からの送出指示の信号の受信である場合には該信号を受信したこと）によって、送出スタンバイが行われているデータがデータ送出部から送出されるようになる。
【００２４】
また、このデータ送出システムにおいて、プレイリスト作成部に、データが記録される記録再生手段と、作成したプレイリストのうちデータ送出部に転送するプレイリストを選択する選択手段と、プレイリストの転送開始を指示する指示手段とをさらに備え、転送手段を、この指示手段からの指示に基づき、この選択手段で選択されたプレイリストに従って記録再生手段からデータを再生させ、このプレイリスト及びデータをネットワークを介してデータ送出部に転送するものとして構成し、データ送出部に、プレイリスト作成部から転送されたデータを記録する記録再生手段をさらに備えることが好適である。
【００２５】
それにより、プレイリストだけでなく、そのプレイリストに載っているデータもネットワークを介してプレイリスト作成部からデータ送出部に転送されてその記録再生手段に記録されるので、データ送出部側で、プレイリスト及びデータの配信を受けることと、プレイリストに基づく送出スタンバイと、送出トリガーの内容が例えば一定の時刻である場合のデータの送出とが、全て人の作業を経ることなく自動的に行われるようになる。
【００２６】
したがって、例えばデータ送出部が独自にデータを作成せずに配信されたデータだけを送出する場合には、システムの導入時に時刻設定手段で時刻を設定しておくことにより、それ以降データ送出部を無人化することもできる。
【００２７】
また、このデータ送出システムにおいて、プレイリスト作成部の記録再生手段及びデータ送出部の記録再生手段を、それぞれノンリニアアクセス可能な記録媒体を用いたものとすることが好適である。
【００２８】
それにより、プレイリスト作成部では、プレイリストに載っているデータを迅速に記録再生手段から再生して転送できるようになる。また、データ送出部でも、迅速にプレイリストに載っている順にデータを記録再生手段から再生して送出できるようになる。
【００２９】
次に本出願人は、データの送出予定を示すプレイリストを作成するプレイリスト作成部と、プレイリストに基づいてデータを送出するデータ送出部とをネットワークで結んだデータ送出システムにおける送出スタンバイ方法において、プレイリスト作成部において、プレイリストに、送出スタンバイを指示する属性を付与する第１ステップと、プレイリスト作成部において、作成したプレイリストと、第１ステップでそのプレイリストに付与した属性の情報とを、ネットワークを介してデータ送出部に転送する第２ステップと、データ送出部において、送出スタンバイを行う時刻を設定する第３ステップと、データ送出部において、第３ステップで設定された時刻に、プレイリスト作成部から転送されたプレイリストに属性が付与されているか否かを属性の情報から判断し、属性が付与されているプレイリストに基づいて送出スタンバイを行う第４ステップとを有するものを提案する。
【００３０】
この送出スタンバイ方法では、プレイリスト作成部において、プレイリストに、送出スタンバイを指示する属性を付与し、作成したプレイリストと、そのプレイリストに付与したこの属性の情報とを、ネットワークを介してデータ送出部の送出スタンバイ手段に転送する。他方、データ送出部において、送出スタンバイを行う時刻を設定する。
【００３１】
そして、データ送出部において、設定された時刻に、プレイリスト作成部から転送されたプレイリストにこの属性が付与されているか否かこの属性の情報から判断され、属性が付与されているプレイリストに基づいて送出スタンバイが行われる。
【００３２】
このように、この送出スタンバイ方法によれば、データ送出部側で、プレイリスト作成部から転送されたプレイリストに基づく送出スタンバイが、人の作業を経ることなく、設定された時刻に自動的に行われる。
【００３３】
したがって、例えばＣＡＴＶサービスにこの送出スタンバイ方法を適用すれば（すなわち、親局をプレイリスト作成部とし、支局をデータ送出部として両者をネットワークで結び、親局，支局でそれぞれ第１及び第２ステップ，第３及び第４ステップの処理を行えば）、支局側で、親局から配信されたプレイリストに基づく送出スタンバイを、従来のような局員の作業を経ることなく自動的に行えるようになる。
【００３４】
また、例えば公共の場所のディスプレイを用いた送出サービスにこの送出スタンバイ方法を適用すれば（すなわち、編集室をプレイリスト作成部とし、ディスプレイの設置場所をデータ送出部として両者をネットワークで結び、編集室，ディスプレイの設置場所でそれぞれ第１及び第２ステップ，第３及び第４ステップの処理を行えば）、ディスプレイの設置場所の側で、編集室から配信されたプレイリストに基づく送出スタンバイを、従来のような係員の作業を経ることなく自動的に行えるようになる。
【００３５】
なお、この送出スタンバイ方法において、第４ステップでは、毎日、第３ステップで設定された時刻から２４時間以内に放送開始予定のプレイリストがプレイリスト作成部から転送されているか否かを判断するとともに、プレイリスト作成部から転送されたプレイリストに属性が付与されているか否かを判断し、２４時間以内に放送開始予定であり且つこの属性が付与されているプレイリストに基づいて送出スタンバイを行うことが好適である。
【００３６】
それにより、一度時刻を設定することにより、プレイリスト作成部から転送されたプレイリストに基づく送出スタンバイが、人の作業を経ることなく毎日一定の時刻に自動的に行われるようになる。
【００３７】
また、この送出スタンバイ方法において、プレイリスト作成部で、プレイリストに加えられるデータの送出を直ちに開始する条件である送出トリガーを、一定の時刻が到来したこと、データ送出部において操作画面で送出開始の操作が行われたこと、または上位装置から送出指示の信号を受信したことの３通りの中から任意に設定するステップをさらに有し、第２ステップで、この送出トリガーの情報をプレイリストとともに転送し、データ送出部で、第４ステップで送出スタンバイを行っているデータについて、プレイリスト作成部から転送された送出トリガーが一定の時刻の到来である場合には該時刻が到来すると送出トリガーが到来したと判断し、転送された送出トリガーが操作画面での送出開始の操作である場合には該操作が行われると送出トリガーが到来したと判断し、転送された送出トリガーが上位装置からの送出指示の信号の受信である場合には該信号を受信すると送出トリガーが到来したと判断して、そのデータの送出を開始するステップさらに有することが好適である。
【００３８】
それにより、データ送出部側で送出トリガーを設定する操作を行うことなく、プレイリスト作成部側で設定した送出トリガーの到来によって、送出スタンバイが行われているデータがデータ送出部から送出されるようになる。
【００３９】
また、この送出スタンバイ方法において、プレイリスト作成部で、作成したデータを記録するステップと、プレイリスト作成部で、作成したプレイリストのうちデータ送出部に転送するプレイリストを選択するステップと、プレイリスト作成部で、選択したプレイリストに従って、記録したデータを再生し、このプレイリスト及びデータをネットワークを介してデータ送出部に転送するステップと、データ送出部で、プレイリスト作成部から転送されたデータを記録するステップとをさらに有することが好適である。
【００４０】
それにより、プレイリストだけでなく、そのプレイリストに載っているデータもネットワークを介してプレイリスト作成部からデータ送出部に転送されてデータ送出部で記録されるので、データ送出部側で、プレイリスト及びデータの配信を受けることと、プレイリストに基づく送出スタンバイと、送出トリガーの内容が例えば一定の時刻である場合のデータの送出とが、全て人の作業を経ることなく自動的に行われるようになる。
【００４１】
したがって、例えばデータ送出部が独自にデータを作成せずに配信されたデータだけを送出する場合には、システムの導入時に送出スタンバイを行う時刻を設定しておくことにより、それ以降データ送出部を無人化することもできる。
【００４２】
また、この送出スタンバイ方法において、プレイリスト作成部及びデータ送出部で、それぞれノンリニアアクセス可能な記録媒体を用いた記録再生手段にデータを記録することが好適である。
【００４３】
それにより、プレイリスト作成部では、プレイリストに載っているデータを迅速に記録再生手段から再生して転送できるようになる。また、データ送出部でも、迅速にプレイリストに載っている順にデータを記録再生手段から再生して送出できるようになる。
【００４４】
【発明の実施の形態】
以下では、ＣＡＴＶサービスに本発明を適用した例について説明する。
図１は、本発明をＣＡＴＶサービスに適用したシステム（ネットワークＣＡＴＶシステム）の全体構成例を示す。
【００４５】
このネットワークＣＡＴＶシステムでは、素材を作成するＣＡＴＶ局（親局）１と、親局１で作成された素材を送出する複数のＣＡＴＶ局（支局）２（２−１〜２−ｎ）とが、ＡＴＭ（非同期転送モード）通信方式の広域ネットワーク３で結ばれている。親局１と各支局２とは、日本国内あるいは海外の互いに遠く離れた地域に設立されている。
【００４６】
親局１には、パーソナルコンピュータ１１と、ビデオサーバ１２と、ＶＴＲ１３と、５台のモニター１４（１４−１〜１４−５）と、ヘッドエンド１５とが設けられている。パーソナルコンピュータ１１とビデオサーバ１２とヘッドエンド１５とは、親局１内でイーサネット１６につながれている。このイーサネット１６は、ルーター１７を介して広域ネットワーク３につながれている。
【００４７】
パーソナルコンピュータ１１には、ビデオサーバ１２を制御して後述のような素材及びプレイリストの作成，プレイリストへの属性の付与，送出トリガーの設定，プレイリストや素材の転送，送出スタンバイ及び送出開始を行うためのアプリケーションソフトウェアがインストールされている。
【００４８】
ビデオサーバ１２の構成は例えば図２に示す通りであり、制御部２１と、１つの入力スロット２２と、４つの出力スロット２３（２３−１〜２３−４）と、ハードディスク装置２４と、イーサネット１６（図１）への接続用のインターフェース２５とが、バス２６で結ばれている。
【００４９】
制御部２１には、パーソナルコンピュータ１１（図１）から制御信号が与えられる。制御部２１は、この制御信号に基づき、ビデオサーバ１２全体を制御するとともにＶＴＲ１３（図１）の動作を制御する。
【００５０】
入力スロット２２は、例えばＭＰＥＧ２のような符号化方式でＡＶデータ（映像及び／または音声データ）をエンコード（圧縮）するエンコーダ２７を含んでいる。各出力スロット２３−１〜２３−４は、エンコーダ２２ａと同じ符号化方式で映像データをデコード（伸長）するデコーダ２８−１〜２８−４をそれぞれ含んでいる。各スロット２２，２３は、互いに独立して動作して映像データの入力，出力を行うとともに、それぞれに割り当てられたタイムスロット内に、バス２６を介してハードディスク装置２４との間で映像データを転送する。
【００５１】
なお、ビデオサーバ１２は、入力スロットと出力スロットとを合計で５つ搭載可能になっており、したがって、入力スロット２２を外して代わりに出力スロットを搭載することや、一部の出力スロット２３を外して代わりに入力スロットを搭載することができる。
【００５２】
ハードディスク装置２４は、ＲＡＩＤ（Redundant Arrays of Inexpensive Disks ）技術を用いて構成されている。例えばＲＡＩＤ−３では、ＡＶデータが一定の長さのブロックデータに分割して複数台のハードディスクドライブに記録され  るとともに、それらのブロックデータのパリティデータが生成されて別の１台の  ハードディスクドライブに書き込まれる。そして、再生時には、これらのハード  ディスクドライブからブロックデータ及びパリティデータが再生され、いずれか  １台のハードディスクドライブからブロックデータが再生されない場合にはその  ブロックデータがパリティデータを用いて復元されて、それらのブロックデータ  が元のＡＶデータに一本化される。
【００５３】
図１のＶＴＲ１３には、素材を作成する元になるＡＶデータ（例えば取材現場でテレビジョンカメラで撮影したＡＶデータ）が収録されている。ＶＴＲ１３から再生されたＡＶデータは、ビデオサーバ１２の入力スロット２２に入力されるとともに、モニター１４−１に表示される。
【００５４】
ビデオサーバ１２の出力スロット２３−１から出力された素材は、モニター１４−２にのみ表示され、ヘッドエンド１５には送られない。他方、ビデオサーバ１２の出力スロット２３−２〜２３−４から出力された素材は、それぞれモニター１４−３〜１４−５に表示されるとともに、ヘッドエンド１５に送られる。ヘッドエンド１５からは、伝送路（ケーブル）を介して親局１のサービスエリア内のＣＡＴＶ端末（図示略）に素材が送出される。
【００５５】
また、外部の素材の供給元（図示略）から広域ネットワーク３を介して親局１に供給された素材が、ルーター１７及びイーサネット１６を介してヘッドエンド１５に直接送られて、ヘッドエンド１５から送出されるようになっている。
【００５６】
他方、各支局２には、代表的に支局２−１について示しているように、パーソナルコンピュータ３１と、ビデオサーバ３２と、４台のモニター３３−１〜３３−５と、ヘッドエンド３４とが設けられている。パーソナルコンピュータ３１とビデオサーバ３２とヘッドエンド３４とは、支局２内でイーサネット３５につながれている。このイーサネット３５は、ルーター３６を介して広域ネットワーク３につながれている。
【００５７】
パーソナルコンピュータ３１には、親局１のパーソナルコンピュータ１１と同じアプリケーションソフトウェアがインストールされている。
【００５８】
ビデオサーバ３２は、親局１のビデオサーバ１２と同一機種のビデオサーバであり、ビデオサーバ１２と同じく、１つの入力スロットと４つ出力スロットが搭載されている。
【００５９】
ビデオサーバ３２の各出力スロットから出力された素材は、それぞれモニター３３−１〜３３−４に表示されるとともに、ヘッドエンド３４に送られる。ヘッドエンド３４からは、伝送路（ケーブル）を介して当該支局２のサービスエリア内のＣＡＴＶ端末に素材が送出される。
【００６０】
また、親局１以外の外部の素材の供給元（図示略）から広域ネットワーク３を介して支局２に供給された素材が、ルーター３６及びイーサネット３５を介してヘッドエンド３４に直接送られて、ヘッドエンド３４から送出されるようになっている。
【００６１】
次に、このネットワークＣＡＴＶシステムにおける、親局１での素材及びプレイリストの作成の様子や、親局１でのプレイリストへの属性の付与の様子や、親局１での送出トリガーの設定の様子や、親局１から各支局２への素材及びプレイリストの転送の様子を説明する。なお、以下では、ＡＶデータをエンコードして作成される素材を「クリップ」と呼ぶことにする。
【００６２】
図３は、親局１のパーソナルコンピュータ１１のディスプレイに表示されるメインメニュー画面を示す。このメインメニュー画面には、新たにクリップ（素材）を作成することを選択させるアイコン（「ＥＮＣＯＤＥ」と表示されたアイコン）Ｉ１が存在する。このアイコンＩ１をクリックすると、図４に示すようなクリップ作成用の画面が表示される。
【００６３】
この図４の画面で、上端のアイコンＩ１１をクリックすると、図５に示すような画面が表示される。この画面の上側には、作成対象のクリップの識別用のＩＤを入力するための枠Ｗ１１や、このクリップのタイトルを入力するための枠Ｗ１２や、このクリップの内容を説明する語句を入力するための枠Ｗ１３が存在する。
【００６４】
また、この画面の下側には、ＶＴＲ１３を動作させてＡＶデータを再生させるための複数のアイコンＩ２３が存在する。
【００６５】
また、この図５の画面の中央には、再生されたＡＶデータの編集点（ＩＮ点及びＯＵＴ点）をタイムコード値で指定するための複数のアイコンＩ２２や、アイコンＩ２２で指定したＩＮ点からＯＵＴ点までの時間長が表示される枠Ｗ１４が存在する。
【００６６】
また、この図５の画面の右端には、枠Ｗ１１〜Ｗ１３に入力した内容やアイコンＩ２２で指定した編集点（すなわち作成対象のクリップの情報）をエンコードリストに登録するためのアイコンＩ２４が存在する。
【００６７】
作成対象のクリップの情報をエンコードリストに登録した後、図５の画面の上端のアイコンＩ２１をクリックして図４の画面に戻り、この図４の画面の上端のアイコンＩ１２をクリックすると、この画面の枠Ｗ１に、それまでにエンコードリストに登録した作成対象のクリップが一覧表示される。
【００６８】
また、この図４の画面の右端には、ビデオサーバ１２のハードディスク装置２４の残容量が表示される枠Ｗ２や、エンコードのビットレート（圧縮率）をプルダウン方式で設定するためのアイコンＩ１５や、ビデオサーバ１２に入力される映像信号の種別（コンポジット信号かコンポーネント信号か）をプルダウン方式で設定するためのアイコンＩ１６や、ＮＴＳＣ方式の映像信号が入力される場合に実時間に対するタイムコード値の遅れをドロップフレームによって補正するか否かを選択するためのアイコンＩ１７や、画面の左側に一覧表示されている作成対象のクリップの一部または全部を消去するための複数のアイコンＩ１８や、ビデオサーバ１２のどの入力スロットでＡＶデータを入力してエンコードするかをプルダウン方式で選択する（図２の構成では、１つの入力スロット２２のみが選択可能である）ためのアイコンＩ１９や、画面の左側に一覧表示されている作成対象のクリップについてクリップの作成を開始するためのアイコンＩ２０や、クリップの作成を中止するためのアイコンＩ２１が存在する。
【００６９】
この図４の画面を表示させて操作を行うことにより、枠Ｗ１に一覧表示されている作成対象の各クリップについて、ＩＮ点からＯＵＴ点までのＡＶデータが、ＶＴＲ１３から再生され、モニター１４−１に表示されるとともにビデオサーバ１２の入力スロット２２に入力してエンコーダ２２ａでエンコードされる（すなわちクリップが作成される）。そして、そのクリップが入力スロット２２からバス２６を介してハードディスク装置２４に転送されて、ハードディスク装置２４に記憶される。
【００７０】
なお、図４の画面で上端のアイコンＩ１３をクリックすると、事前に作成対象のクリップの情報を登録しておいてその後でクリップを作成するのではなく、図６に示すような、ＶＴＲ１３を動作させて編集点を捜しながらその場でクリップを作成するための画面が表示される。
【００７１】
この図６の画面の左上側には、ＶＴＲ１３を動作させてＡＶデータを再生させるための複数のアイコンＩ３２が存在する。また、この画面の左下側には、作成するクリップの識別用のＩＤを入力するための枠Ｗ３１や、このクリップのタイトルを入力するための枠Ｗ３２や、このクリップの内容を説明する語句を入力するための枠Ｗ３３や、クリップの時間長が表示される枠Ｗ３４や、ビデオサーバ１２のハードディスク装置２４の残容量が表示される枠Ｗ３５や、ビデオサーバ１２のエンコーダ２２ａでのビットレートをプルダウン方式で設定するためのアイコンＩ３３が存在する。
【００７２】
また、この図６の画面の右上側には、ビデオサーバ１２に入力される映像信号の種別をプルダウン方式で設定するためのアイコンＩ３４や、エンコードの進行時間が目安として表示される枠Ｗ３５が存在する。
【００７３】
また、この図６の画面の右下側には、ビデオサーバ１２のどの入力スロットでＡＶデータを入力してエンコードするかをプルダウン方式で選択するためのアイコンＩ３５や、クリップの作成を開始するためのアイコンＩ３６や、クリップの作成を中止するためのアイコンＩ３７や、一定の時刻に自動的にクリップの作成を開始させたいときにその時刻を入力するための枠Ｗ３６や、枠Ｗ３６に入力した時刻に自動的にクリップの作成を開始させるためのアイコンＩ３８や、上位のコンピュータからパーソナルコンピュータ１１にクリップの作成開始を指示する信号（ＧＰＩ信号）が送られたことに基づいてクリップの作成を開始させるためのアイコンＩ３９が存在する。
【００７４】
この図６の画面を表示させて操作を行うことにより、ＶＴＲ１３を動作させて編集点を捜しながら、その場でＡＶデータがビデオサーバ１２の入力スロット２２に入力してエンコーダ２２ａでエンコードされる（すなわちクリップが作成される）。そして、そのクリップが入力スロット２２からバス２６を介してハードディスク装置２４に転送されて、ハードディスク装置２４に記憶される。
【００７５】
図６の画面の上端のアイコンＩ３１や図４の画面の上端のアイコンＩ１４をクリックすると、図３のメインメニュー画面に戻る。このメインメニュー画面には、作成済みのクリップを管理することを選択させるアイコン（「ＣＬＩＰ  ＭＡＮＡＧＥＭＥＮＴ」と表示されたアイコン）Ｉ２も存在しており、このアイコンＩ２をクリックすると、図７に示すようなクリップ管理用の画面が表示される。
【００７６】
この図７の画面には、作成済みのクリップが一覧表示されるとともにそのうちの任意の１または複数のクリップをマウスによって選択可能な枠Ｗ４１が存在する。
【００７７】
また、この図７の画面の右端には、枠Ｗ４１で選択したクリップをビデオサーバ１２のどの出力スロットから出力させてモニターで確認するかをプルダウン方式で選択する（図２の構成では、出力スロット２３−１〜２３−４のうち、出力した素材がヘッドエンド１５に送られない出力スロット２３−１のみが選択可能である）ためのアイコンＩ４４や、そのクリップをビデオサーバ１２から再生・出力させるためのアイコンＩ４５や、そのクリップの最初の一定秒（例えば一定秒）分だけをビデオサーバ１２から再生・出力させるためのアイコンＩ４６や、クリップの再生・出力を中止するためのアイコンＩ４７や、枠Ｗ４１で選択したクリップについて後述のトリミング情報を作成するためのアイコンＩ４８や、枠Ｗ４１で選択したクリップを削除するためのアイコンＩ４９や、枠Ｗ４１で選択したクリップのタイトルを変更するためのアイコンＩ５０や、枠Ｗ４１に表示されたクリップをＩＤの若い順やタイトルの頭文字順等に並べ替えるためのアイコンＩ５１や、ビデオサーバ１２のハードディスク装置２４の残容量が表示される枠Ｗ４２や、ビットレートをプルダウン方式で設定するためのアイコンＩ５２が存在する。
【００７８】
アイコンＩ４５やＩ４６をクリックすると、枠Ｗ４１で選択したクリップが、ビデオサーバ１２のハードディスク装置２４から再生されてバス２６を介して出力スロット２３−１に転送される。そして、そのクリップが、デコーダ２８−１でデコードされ、出力スロット２３−１から出力されてモニター１４−２に表示される。したがって、作成済みのクリップの内容をモニター１４−２で確認することができる。確認の結果、そのクリップが不要になった場合には、アイコンＩ４７によってそのクリップを削除することができる。
【００７９】
また、この図７の画面の上端には、作成済みのクリップについて編集後のＩＮ点やＯＵＴ点を定義する編集情報（すなわち作成済みのクリップから一部を切り出す編集を行ってその切り出した部分を送出させるための情報）であるトリム情報を作成するためのアイコンＩ４２が存在する。このアイコンＩ４２または前述の画面の右端のアイコンＩ４８をクリックすると、図８に示すようなトリム情報作成用の画面が表示される。
【００８０】
この図８の画面の左上側には、トリム情報の作成対象のクリップのＩＤが表示される枠Ｗ５１や、図７の画面のアイコンＩ４２をクリックしてこの図８の画面を表示させた場合（すなわちまだトリム情報の作成対象のクリップが選択されていない場合）にクリップを選択するために作成済みのクリップを一覧表示するウィンドウを開かせるアイコンＩ６２や、トリム情報の作成対象のクリップをビデオサーバ１２のどの出力スロットから出力させてモニターで確認するかをプルダウン方式で選択するためのアイコンＩ６３や、トリム情報の作成対象のクリップをビデオサーバ１２から再生・出力させるための複数のアイコンＩ６４が存在する。
【００８１】
また、この図８の画面の左下側には、クリップの再生速度を調整するためのアイコンＩ６５や、現在の再生状態が表示される枠Ｗ５２や、現在のタイムコード値が表示される枠Ｗ５３が存在する。
【００８２】
また、この図８の画面の右側には、作成対象のトリム情報の識別用のＩＤを入力するための枠Ｗ５４や、このトリム情報のタイトルを入力するための枠Ｗ５５や、このトリム情報の内容を説明する語句を入力するための枠Ｗ５６や、編集後の編集点（ＩＮ点及びＯＵＴ点）をタイムコード値で指定するための複数のアイコンＩ６６や、アイコンＩ６６で指定した編集後のＩＮ点からＯＵＴ点までの時間長が表示される枠Ｗ５７や、もとのＩＮ点からＯＵＴ点までの範囲に対する編集後のＩＮ点からＯＵＴ点までの範囲が表示される枠Ｗ５８が存在する。
【００８３】
また、この図８の画面の右端には、枠Ｗ５４〜Ｗ５６に入力した内容やアイコンＩ６で指定した編集後の編集点（すなわち作成したトリム情報）をパーソナルコンピュータ１１に記憶させるためのアイコンＩ６７が存在する。
【００８４】
図７のアイコンＩ４５やＩ４６によってクリップの内容をモニター１４−２で確認した結果、クリップを編集して送出する必要があった場合には、この図８の画面を表示させて操作を行うことにより、トリム情報が作成されてパーソナルコンピュータ１１に記憶される。
【００８５】
図８の画面の上端のアイコンＩ６１をクリックすると図７の画面に戻り、図７の画面の上端のアイコンＩ４３をクリックすると図３のメインメニュー画面に戻る。このメインメニュー画面には、クリップの送出予定を示すプレイリストを作成することを選択させるアイコン（「ＰＬＡＹＬＩＳＴ  ＭＡＮＡＧＥＭＥＮＴ」と表示されたアイコン）Ｉ３も存在しており、このアイコンＩ３をクリックすると、図９に示すようなプレイリスト作成用の画面が表示される。
【００８６】
この図９の画面の上端には、新たにプレイリストを作成することを選択させるアイコンＩ７１が存在しており、このアイコンＩ７１をクリックすると、図１０に示すような画面が表示される。
【００８７】
この図１０の画面の左上側には、プレイリストに加えたいクリップのそのプレイリスト内での送出順序（イベント番号）をキーボードで入力するための枠Ｗ７１や、クリップの送出開始予定時刻をキーボードで入力するための枠Ｗ７２や、そのクリップのＩＤ（図５や図６のクリップ作成用画面で入力したＩＤ）をキーボードで入力するための枠Ｗ７３が存在する。
【００８８】
枠Ｗ７２は、プレイリストに加えられるクリップについての送出トリガーを設定するための枠としての役割を兼ねている。この送出トリガーの内容としては、一定の時刻と、支局２のパーソナルコンピュータ３１の操作と、上位装置からパーソナルコンピュータ３１への送出指示の信号（ＧＰＩ信号）との３通りが設定可能である。
【００８９】
一定の時刻を送出トリガーとして設定したい場合には、枠Ｗ７２に、その時刻を送出開始予定時刻として入力するとともに、その時刻の左側に「Ｃ」（クロックの意味）の文字を入力する。
【００９０】
他方、パーソナルコンピュータ３１の操作を送出トリガーとして設定したい場合には、枠Ｗ７２に、送出開始予定時刻の左側に「Ｋ」（キーの意味）の文字を入力する。
【００９１】
他方、ＧＰＩ信号を送出トリガーとして設定したい場合には、枠Ｗ７２に、送出開始予定時刻だけを入力する。
【００９２】
図１０の画面の枠Ｗ７１〜Ｗ７３の下側には、枠Ｗ７３にＩＤを入力されたクリップの内容を説明する語句（図５や図６のクリップ作成用画面で入力した語句）が表示される枠Ｗ７４や、そのクリップの時間長（図５や図６のクリップ作成用画面で表示された時間長）が表示される枠Ｗ７５が存在する。
【００９３】
また、この図１０の画面には、枠Ｗ７１〜Ｗ７３への入力によってプレイリストに加えられたクリップについて、送出開始予定時刻及び送出トリガーやＩＤやタイトル（図５や図６のクリップ作成用画面で入力したタイトル）等がイベント番号順に一覧表示される（すなわち作成されたプレイリストが表示される）枠Ｗ７６が存在する。
【００９４】
枠Ｗ７３にＩＤを入力せずに“．”（ピリオド）を入力したイベント番号については、各支局２に自由に使用させる時間枠（ＰＧＭ）がプレイリストに加えられ、枠Ｗ７６中のタイトル欄にも「ＰＧＭ」の文字が表示される。
【００９５】
なお、枠Ｗ７２での送出開始予定時刻の入力及び送出トリガーの設定は、ＰＧＭを含まないクリップのグループ毎に、そのグループ中の先頭の（イベント番号が最も小さい）クリップに対して行えばよい。図１０でも、枠Ｗ７６中の送出開始予定時刻及び送出トリガーの欄に、このようなグループ中の先頭のクリップについでだけ、送出開始予定時刻及び送出トリガーとして「Ｃ１０：００：００」（１０時が送出トリガー）や「１２：００：００」（ＧＰＩ信号が送出トリガー）や「Ｋ１３：００：００」（パーソナルコンピュータ３１の操作が送出トリガー）の文字が表示された状態が描かれている。
【００９６】
また、この図１０の画面には、作成したプレイリストを削除するためのアイコンＩ８３や、枠Ｗ７６に表示されたプレイリストに載っているクリップを親局１や支局２のビデオサーバのどの出力スロットから出力させてＣＡＴＶ端末に送出するかをプルダウン方式で選択する（図２の構成では、親局１のビデオサーバ１２については出力スロット２３−２〜２３−４のうちのいずれかを選択可能であり、支局２のビデオサーバ３２については４つの出力スロットのうちのいずれかを選択可能である）ためのアイコンＩ８４や、そのプレイリストの識別用のＩＤを入力するための枠Ｗ７７や、そのプレイリストに載っているクリップの送出予定の日付を入力するための枠Ｗ７８が存在する。
【００９７】
また、この図１０の画面には、作成したプレイリストに、自動送出スタンバイ（「Ａｕｔｏ  Ａｃｔｉｖａｔｅ」と呼んでいる）を指示する属性を付与するためのアイコンＩ８５や、作成したプレイリストに、そのプレイリストに載っているクリップを繰り返し送出することを指示する属性を付与するためのアイコンＩ８６が存在する。
【００９８】
また、この図１０の画面の上端には、マウス操作でプレイリストを作成することを選択させるアイコンＩ８１が存在しており、このアイコンＩ８１をクリックすると、図１１に示すような画面が表示される。
【００９９】
この図１１の画面の左側には、作成済みのクリップが一覧表示されるとともにそのうちの任意の１または複数のクリップをマウスによって選択可能な枠Ｗ８１や、枠Ｗ８１で選択したクリップをビデオサーバ１２のどの出力スロットから出力させてモニターで確認するかをプルダウン方式で選択するためのアイコンＩ９２が存在する。
【０１００】
また、この図１１の画面の中央上側には、枠Ｗ８１で選択したクリップをビデオサーバ１２から再生・出力させるためのアイコンＩ９３や、そのクリップの最初の一定秒分だけをビデオサーバ１２から再生・出力させるためのアイコンＩ９４や、クリップの再生・出力を中止するためのアイコンＩ９５や、枠Ｗ８１に表示されたクリップを並べ替えるためのアイコンＩ９６や、枠Ｗ８１に表示されたクリップの中から特定のクリップを捜すためのアイコンＩ９７が存在する。
【０１０１】
アイコンＩ９３やＩ９４をクリックすると、プレイリストに加えようとして枠Ｗ８１で選択したクリップが、ビデオサーバ１２のハードディスク装置２４から再生されてバス２６を介して出力スロット２３−１に転送される。そして、そのクリップが、デコーダ２８−１でデコードされ、出力スロット２３−１から出力されてモニター１４−２に表示される。したがって、プレイリストに加えようとするクリップの内容をモニター１４−２で確認することができる。
【０１０２】
また、この図１１の画面の中央下側には、枠Ｗ８１で選択したクリップをイベント番号順にプレイリストに加えるためのアイコンＩ９８や、各支局２に自由に使用させる時間枠（ＰＧＭ）をプレイリストに加えるためのアイコンＩ９９や、プレイリストに加えたクリップやＰＧＭを削除するためのアイコンＩ１００や、アイコンＩ９８〜Ｉ１００による直前の処理を取り消すためのアイコンＩ１０１が存在する。
【０１０３】
また、この図１１の画面の右側には、アイコンＩ９８やＩ９９によってプレイリストに加えられたクリップやＰＧＭがイベント番号順に一覧表示される（すなわち作成されたプレイリストが表示される）枠Ｗ８２や、枠Ｗ８２に表示されるプレイリストに載っているクリップを親局１や支局２のビデオサーバのどの出力スロットから出力させてＣＡＴＶ端末に送出するかをプルダウン方式で選択するためのアイコンＩ１０２や、そのプレイリストの識別用のＩＤを入力するための枠Ｗ８３や、そのプレイリストに載っているクリップの送出予定の日付を入力するための枠Ｗ８４が存在する。
【０１０４】
これらの図１０や図１１の画面を表示させて操作を行うことにより、プレイリストの作成や、プレイリストに加えるクリップの送出トリガーの設定や、プレイリストへの属性（自動送出スタンバイを指示する属性や、そのプレイリストに載っているクリップを繰り返し送出することを指示する属性）の付与が行われる。プレイリストの作成や送出トリガーの設定や属性の付与を行った後、図１０の上端の左から２番目の「Ｓａｖｅ」と表示されたアイコンをクリックすると、作成したプレイリストや送出トリガーの情報や属性の情報がパーソナルコンピュータ１１に記憶される。
【０１０５】
図１１の画面の上端のアイコンＩ９１をクリックすると、図１０の画面に戻る。また、図１０の画面の上端のアイコンＩ８２をクリックすると、図９の画面に戻る。図９の画面には、作成済みのプレイリストが一覧表示されるとともにそのうちの任意の１または複数のプレイリストをマウスによって選択可能な枠Ｗ６１が存在する。この枠Ｗ６１中の右端の欄には、図１０の画面のアイコンＩ８５やＩ８６によってプレイリストに付与された属性を示す記号（自動送出スタンバイを指示する属性を示す記号Ｋ１や、繰り返しを指示する属性を示す記号Ｋ２）も表示される。
【０１０６】
また、この図９の画面の右端には、枠Ｗ６１で選択したプレイリストに載っている各クリップをビデオサーバ１２のどの出力スロットから出力させてモニターで確認するかをプルダウン方式で選択するためのアイコンＩ７４や、それらのクリップをビデオサーバ１２から再生・出力させるためのアイコンＩ７５や、そのクリップの最初の一定秒分だけをビデオサーバ１２から再生・出力させるためのアイコンＩ７６や、枠Ｗ６１で選択したプレイリストを削除するためのアイコンＩ７７や、枠Ｗ６１に表示されたプレイリストをＩＤの若い順や送出日付の早い順等に並べ替えるためのアイコンＩ７８が存在する。
【０１０７】
アイコンＩ７５やＩ７６をクリックすると、枠Ｗ６１で選択したプレイリストに載っている各クリップが、ハードディスク装置２４から再生されてバス２６を介して出力スロット２３−１に転送される。そして、それらのクリップが、デコーダ２８−１でデコードされ、出力スロット２３−１から出力されてモニター１４−２に表示される。したがって、作成済みのプレイリストに載っている各クリップの内容をモニター１４−２で確認することができる。確認の結果、そのプレイリストが不要になった場合には、アイコンＩ７７によってそのプレイリストを削除することができる。
【０１０８】
また、この図９の画面で、枠Ｗ６１でプレイリストを選択した状態で上端のアイコンＩ７２をクリックすると、再び図１０の画面が表示されて、そのプレイリストに載っているクリップが枠Ｗ７６に一覧表示される。さらに、この状態で図１０の画面のアイコンＩ８１をクリックすると、再び図１１の画面が表示されて、図９の画面のＷ６１で選択したプレイリストに載っているクリップが枠Ｗ８２に表示される。
【０１０９】
この状態で、図１０の画面の枠Ｗ７１〜Ｗ７３，Ｗ７７，Ｗ７８への入力やアイコンＩ８５，Ｉ８６での属性の付与をし直したり、図１１の画面のアイコンＩ９８〜Ｉ１００でクリップやＰＧＭを追加または削除することにより、図９の画面の枠Ｗ６１で選択したプレイリストについて、プレイリストの変更や、送出トリガーの変更や、属性の変更が行われる。プレイリストや送出トリガーや属性の変更を行った後、図１０の上端の左から２番目の「Ｓａｖｅ」と表示されたアイコンをクリックすると、変更後のプレイリストや送出トリガーの情報や属性の情報がパーソナルコンピュータ１１に記憶し直される。
【０１１０】
図９の画面のアイコンＩ７５やＩ７６によってプレイリストに載っている各クリップの内容をモニター１４−２で確認した結果プレイリストを変更する必要があった場合や、設定した送出トリガーを変更したい場合や、プレイリストに付与した属性を変更したい場合には、このように再び図１０や図１１の画面を表示させてプレイリストや送出トリガーや属性の変更を行うことができる。
【０１１１】
図９の画面の上端のアイコンＩ７３をクリックすると、図３のメインメニュー画面に戻る。このメインメニュー画面には、プレイリストを広域ネットワーク３を介して親局１から支局２−１〜２−ｎのうちの任意の支局に転送することを選択させるアイコン（「ＮＥＴＷＯＲＫ  ＤＩＳＴＲＩＢＵＴＩＯＮ」と表示されたアイコン）Ｉ４も存在しており、このアイコンＩ４をクリックすると、図１２に示すようなプレイリスト転送用の画面が表示される。
【０１１２】
この図１２の画面の上端には、支局２−１〜２−ｎをプレイリストの転送先の支局として設定するためのアイコンＩ１１１が存在しており、このアイコンＩ１１１をクリックすると、図１３に示すような転送先設定用の画面が表示される。
【０１１３】
この図１３の画面には、プレイリストの転送先にしたい支局（図１の支局２−１〜２−ｎ）について、プレイリストを転送する順番と、支局の存在する地域の地名と、当該支局のパーソナルコンピュータ３１のＩＰ（インターネットプロトコル）アドレスとの情報をキーボードにより入力するとともに、これらの情報を入力済みの支局のうちの任意の１または複数の支局をマウスによって選択可能な枠Ｗ１０１が存在する。
【０１１４】
また、この図１３の画面の右端には、枠Ｗ１０１で選択した支局を新たに転送先として追加するためのアイコンＩ１２１や、枠Ｗ１０１で選択した支局について入力情報を変更するためのアイコンＩ１２２や、枠Ｗ１０１で選択した支局を転送先から削除するためのアイコンＩ１２３や、枠Ｗ１０１で選択した支局にプレイリストを転送する順番を繰り上げるためのアイコンＩ１２４や、枠Ｗ１０１で選択した支局にプレイリストを転送する順番を繰り下げるためのアイコンＩ１２５や、枠Ｗ１０１及びアイコンＩ１２１〜Ｉ１２５による設定内容を登録して図１２の画面に戻るためのアイコンＩ１２６や、アイコンＩ１２１〜Ｉ１２５による設定内容を登録しないまま図１２の画面に戻るためのアイコンＩ１２７や、枠Ｗ１０１で選択した支局が正常に広域ネットワーク３で親局１と結ばれているかをチェックするためののアイコンＩ１２８が存在する。
【０１１５】
この図１３の画面を表示させて操作を行うことにより、各支局２−１〜２−ｎが、それぞれプレイリストの転送先として設定される。
【０１１６】
図１２の画面の右上側には、プレイリストの転送先の支局（図１３の画面でプレイリストの転送先として設定した支局）をプルダウン方式で選択するためのアイコンＩ１１２が存在する。
【０１１７】
また、図１２の画面の左側には、作成済みのプレイリスト及びそのプレイリストに付与された属性が一覧表示されるとともにそのうちの任意の１または複数のプレイリストをマウスによって選択可能な枠Ｗ９１が存在する。
【０１１８】
また、この図１２の画面の中央には、枠Ｗ９１で選択したプレイリストを、アイコンＩ１１２で選択した支局への転送リストに加える（すなわち枠Ｗ９１で選択した支局への転送リストを作成する）ためのアイコンＩ１１３や、転送リストに加えたプレイリストを削除するためのアイコンＩ１１４や、アイコンＩ１１２で現在選択している支局についての転送リストを削除するためのアイコンＩ１１５や、プレイリスト転送先になっている全ての支局についての転送リストを削除するためのアイコンＩ１１６が存在する。
【０１１９】
また、この図１２の画面の右側には、アイコンＩ１１２によって転送リストに加えられたプレイリストが表示される（すなわち作成した転送リストが表示される）枠Ｗ９２が存在する。
【０１２０】
この図１２の画面を表示させて操作を行うことにより、支局２−１〜２−ｎのうちの任意の１または複数の支局について、それぞれ転送リストが作成される（すなわち転送するプレイリストが選択される）。
【０１２１】
また、この図１２の画面の右下側には、プレイリストの転送を開始するためのアイコンＩ１１７や、転送を中止するためのアイコンＩ１１８が存在する。
【０１２２】
転送リストを作成した後このアイコンＩ１１７をクリックすると、支局２−１〜２−ｎのうち転送リストが作成されている支局の各々について、図１３の画面で設定された順番で、選択されたプレイリスト（転送リストに載っているプレイリスト）と、それらのプレイリストに載っているクリップについてのトリム情報と、そのプレイリストに付与された属性の情報と、そのプレイリストに載っているクリップについての送出トリガーの情報とが、親局１のパーソナルコンピュータ１１からイーサネット１６，ルーター１７，広域ネットワーク３，当該支局のルーター３６，イーサネット３５を介して当該支局のパーソナルコンピュータ３１に転送される。
【０１２３】
またそれととともに、選択されたプレイリストに従って、親局１のビデオサーバ１２のハードディスク装置２４からクリップが再生される。そして、それらのクリップが、バス２６，インターフェース２５，イーサネット１６，ルーター１７，広域ネットワーク３，当該支局のルーター３６，イーサネット３５を介して当該支局のビデオサーバ３２に転送される。
【０１２４】
そして、それらのプレイリスト，トリム情報，属性の情報及び送出トリガーの情報が当該支局のパーソナルコンピュータ３１に記憶されるとともに、それらのクリップが当該支局のビデオサーバ３２に記憶される。
【０１２５】
この転送の際の親局１と支局２との間の通信は、ＦＴＰ（ファイル転送プロトコル）を使って行われる。図１４は、この転送の際の親局１と支局２との間の通信手順の概要を示しており、最初に、親局１のパーソナルコンピュータ１１から、転送リストが作成されている支局のうち図１３の画面で設定した順番が１番である支局のパーソナルコンピュータ３１に接続要求を送る（ステップＳ１）。
【０１２６】
当該支局のパーソナルコンピュータ３１は、このステップＳ１の接続要求に対する応答を親局１のパーソナルコンピュータ１１に返送する（ステップＳ２）。これにより、親局１と当該支局との間で接続が確立される。
【０１２７】
このステップＳ２の応答があると、親局１のパーソナルコンピュータ１１は、当該支局のパーソナルコンピュータ３１に送信元を通知し（ステップＳ３）、当該支局についてのプレイリスト及びトリム情報をそのパーソナルコンピュータ３１に送信する（ステップＳ４）。そして、送信を終えると、そのパーソナルコンピュータ３１に送信の終了を通知する（ステップＳ５）。
【０１２８】
続いて、親局１のパーソナルコンピュータ１１は、当該支局についてのクリップの送信をビデオサーバ１２に命令する（ステップＳ６）。
【０１２９】
ビデオサーバ１２は、このステップＳ６の命令に基づいて、当該支局のビデオサーバ３２に送信元を通知し（ステップＳ７）、そのビデオサーバ３２にクリップを送信する（ステップＳ８）。そして、送信を終えると、そのビデオサーバ３２に送信の終了を通知する（ステップＳ９）。そのビデオサーバ３２は、このステップＳ９の通知に対する応答を、当該支局のパーソナルコンピュータ３１に送る（ステップＳ１０）。
【０１３０】
当該支局のパーソナルコンピュータ３１は、ステップＳ１０の応答があると、ステップＳ５及びＳ９の送信終了の通知に対する応答を、親局１のパーソナルコンピュータ１１に送る（ステップＳ１１）。
【０１３１】
親局１のパーソナルコンピュータ１１は、このステップＳ１１の応答があると、当該支局のパーソナルコンピュータ３１との接続を切断する（ステップＳ１２）。そして、転送リストが作成されている支局のうち図１３の画面で設定した順番が２番以降である支局の各々について、ステップＳ１〜Ｓ１２の手順を繰り返す。
【０１３２】
なお、このようにプレイリストとともにクリップを転送するのではなく、クリップだけを転送することもできるようになっている。前述の図７の画面の上端のアイコンＩ４１をクリックすると、図１５に示すように、このクリップだけの転送用の画面が表示される。
【０１３３】
この図１５の画面の上端には、支局２−１〜２−ｎをクリップだけの転送先の支局としても設定するためのアイコンＩ１３１が存在している。このアイコンＩ１３１をクリックすると、図１３に示したのと同様な転送先設定用の画面（図示略）が表示される。
【０１３４】
この図１５の画面の右上側には、クリップだけの転送先の支局（支局２−１〜２−ｎのうちクリップだけの転送先としても設定した支局）をプルダウン方式で選択するためのアイコンＩ１３２が存在する。
【０１３５】
また、この図１５の画面の左側には、作成済みのクリップが一覧表示されるとともにそのうちの任意の１または複数のクリップをマウスによって選択可能な枠Ｗ１１１や、枠Ｗ１１１に表示されたクリップを並べ替えるためのアイコンＩ１３３が存在する。
【０１３６】
また、この図１５の画面の中央には、枠Ｗ１１１で選択したクリップを、アイコンＩ１３２で選択した支局へのクリップ転送リストに加える（すなわち枠Ｗ１１１で選択した支局へのクリップ転送リストを作成する）ためのアイコンＩ１３４や、クリップ転送リストに加えたクリップを削除するためのアイコンＩ１３５や、枠Ｗ１１１で現在選択している支局についてのクリップ転送リストを削除するためのアイコンＩ１３６や、クリップだけの転送先になっている全ての支局についてのクリップ転送リストを削除するためのアイコンＩ１３７が存在する。
【０１３７】
また、この図１５の画面の右側には、アイコンＩ１３２によってクリップ転送リストに加えられたクリップが表示される（すなわち作成したクリップ転送リストが表示される）枠Ｗ１１２が存在する。
【０１３８】
この図１５の画面を表示させて操作を行うことにより、クリップだけの転送先としても設定した支局のうちの任意の１または複数の支局について、それぞれクリップ転送リストが作成される（すなわち転送するクリップが選択される）。
【０１３９】
また、この図１５の画面の右下側には、クリップの転送を開始するためのアイコンＩ１３８や、クリップの転送を中止するためのアイコンＩ１３９が存在する。
【０１４０】
クリップ転送リストを作成した後このアイコンＩ１３８をクリックすると、クリップだけの転送先としても設定した支局のうちクリップ転送リストが作成された支局の各々について、選択されたクリップが、親局１のビデオサーバ１２のハードディスク装置２４から再生され、バス２６，インターフェース２５，イーサネット１６，ルーター１７，広域ネットワーク３，当該支局のルーター３６，イーサネット３５を介して当該支局のビデオサーバ３２に転送されて、ビデオサーバ３２に記憶される。
【０１４１】
次に、このネットワークＣＡＴＶシステムにおける、各支局２での送出スタンバイの様子や、各支局２での素材の送出の開始の様子を説明する。
【０１４２】
各支局２のパーソナルコンピュータ３１には親局１のパーソナルコンピュータ１１と同じアプリケーションソフトウェアがインストールされているので、パーソナルコンピュータ３１には図３に示したのと同じメインメニュー画面が表示される。このメインメニュー画面には、送出スタンバイや送出の開始を行うことを選択させるアイコン（「ＣＨＡＮＮＥＬ  ＳＴＡＴＵＳ」と表示されたアイコン）Ｉ５も存在しており、このアイコンＩ５をクリックすると、図１６に示すような画面が表示される。
【０１４３】
図１６の画面の上端には、クリップの送出を開始するためのアイコンＩ１４２や、クリップの送出を停止するためのアイコンＩ１４３が存在する。
【０１４４】
また、この図１６の画面の上端には、親局１から転送されたプレイリストを一覧表示するウィンドウを開かせるアイコンＩ１４４や、このウィンドウからマウスで選択されたプレイリストについて、図９の画面で枠Ｗ６１でプレイリストを選択した状態でアイコンＩ７２をクリックしたときと同様なプレイリスト変更用の画面を表示させるためのアイコンＩ４６が存在する。親局１から転送されたプレイリストの中に、送出の直前に変更や削除が必要になったプレイリストが含まれている場合には、この画面が表示させて操作を行うことにより、支局２側でそのプレイリストの変更や削除を行うことができる。
【０１４５】
また、この図１６の画面の上端には、ビデオサーバ３２の各出力スロットの現在の使用状況を表示するウィンドウを開かせるアイコンＩ１４５や、送出スタンバイを行っているプレイリストに載っているクリップをビデオサーバ３２のどの出力スロットから出力させるかをプルダウン方式で選択するためのアイコンＩ１４７が存在する。ビデオサーバ３２の各出力スロットの現在の使用状況からみて、親局１側で図１０の画面のアイコンＩ８３や図１１の画面のアイコンＩ１０２によって選択された出力スロットを使用することが不可能である場合には、このアイコンＩ１４７により、支局２側で出力スロットを選択し直すことができる。
【０１４６】
また、この図１６の画面には、送出スタンバイを行っているプレイリストに載っているクリップの送出トリガーやＩＤやタイトル等がイベント番号順に一覧表示される枠Ｗ１２１や、それらのクリップの送出が完了するまでの残り時間が表示される枠Ｗ１２２や、それらのクリップの送出予定日が表示される枠Ｗ１２３や、そのプレイリストのＩＤが表示される枠Ｗ１２４が存在する。
【０１４７】
他方、メインメニュー画面には、「ＵＴＩＬＩＴＹ」と表示されたアイコンＩ６も存在しており、このアイコンＩ６をクリックすると、図示は省略するが、「Ａｕｔｏ  Ａｃｔｉｖａｔｅ  Ｓｅｔ」と表示されたアイコンの存在するユーティリティ画面が表示される。この「Ａｕｔｏ  Ａｃｔｉｖａｔｅ  Ｓｅｔ」と表示されたアイコンをクリックすると、図１７に示すような送出スタンバイを行う時刻の設定用の画面が表示される。
【０１４８】
この図１７の画面には、送出スタンバイを自動的に行う時刻を入力するための枠Ｗ１３１や、枠Ｗ１３１に入力した時刻を確定して登録してユーティリティ画面に戻るためのアイコンＩ１５１や、枠Ｗ１３１に入力した時刻を登録しないままユーティリティ画面に戻るためのアイコンＩ１５２が存在する。
【０１４９】
この図１７の画面を表示させて操作を行うことにより、各支局２において、送出スタンバイを自動的に行う時刻が設定される。なお、この時刻としては、１日の放送が終了する深夜の時刻か、１日の放送が開始される早朝の時刻を設定することが望ましい。
【０１５０】
送出スタンバイを自動的に行う時刻が設定されると、パーソナルコンピュータ３１は、図１８に示すような処理を、毎日この設定された時刻に開始する。この処理では、最初に、この設定された時刻に、親局１から転送された各プレイリスト（支局２側で削除したプレイリストを除く）について、クリップの送出開始予定日時（親局１側で図１０や図１１の画面の枠Ｗ７４やＷ８４で入力した日付及び図１０の枠Ｗ７２で入力した時刻であるが、支局２側でプレイリストの変更としてこの日付や時刻を変更することも可能である）を確認する（ステップＳ２１）。
【０１５１】
そして、それらのプレイリスト中に、クリップの送出開始予定日時が翌日の同じ時刻まで（すなわち２４時間以内）になっているプレイリストが存在するか否かを判断する（ステップＳ２２）。
【０１５２】
存在しなければ、処理を終了する。他方、存在していれば、それらのプレイリスト中に、送出スタンバイを指示する属性（親局１側で図１０の画面のアイコンＩ８６によって付与される属性）が付与されたプレイリストが存在しているか否かを、親局１から転送された属性の情報から（ただし、支局２側でプレイリストの変更としてこの属性を付与し直した場合には、その付与し直した属性の情報から）判断する（ステップＳ２３）。
【０１５３】
存在しなければ、処理を終了する。他方、存在していれば、それらのプレイリスト中の送出開始時刻が最も早いプレイリストに基づき、送出トリガーの到来によって直ちにそのプレイリストに載っているクリップの送出が開始されるように、送出スタンバイを行う（ステップＳ２４）。
【０１５４】
続いて、送出スタンバイを行っているクリップについての送出トリガー（親局１側で図１０の画面の枠Ｗ７２で設定される送出トリガー）を、親局１から転送された送出トリガーの情報から（ただし、支局２側でプレイリストの変更としてこの送出トリガーを設定し直した場合には、その設定し直した送出トリガーの情報から）確認する（ステップＳ２５）。そして、その送出トリガーが到来したか否かを判断する（ステップＳ２６）。
【０１５５】
ここで、送出トリガーの内容が一定の時刻である場合（親局１側で、図１０の画面の枠Ｗ７２に送出開始予定時刻の左側に「Ｃ」の文字を入力した場合）には、この送出開始予定時刻が到来すると、送出トリガーが到来したと判断される。
【０１５６】
他方、送出トリガーの内容が上位装置からの送信指示の信号（ＧＰＩ信号）である場合（親局１側で、図１０の画面の枠Ｗ７２に送出開始予定時刻だけを入力した場合）には、このＧＰＩ信号を受信すると、送出トリガーが到来したと判断される。
【０１５７】
他方、送出トリガーの内容がパーソナルコンピュータ３１の操作である場合（親局１側で、図１０の画面の枠Ｗ７２に送出開始予定時刻の左側に「Ｃ」の文字を入力した場合）には、パーソナルコンピュータ３１に図１２の画面を表示させてアイコンＩ１４２をクリックすると、送出トリガーが到来したと判断される。
【０１５８】
このようにして送出トリガーが到来したと判断すると、送出スタンバイを行っているクリップの送出を開始させる（ステップＳ２７）。すなわち、ビデオサーバ３２内のハードディスク装置から、イベント番号順にクリップを再生させ、ビデオサーバ３２内の出力スロット（親局１側で選択された出力スロットであるが、前述のように支局２側で出力スロットを選択し直すことも可能である）にそれらのクリップを転送させる。そして、その出力スロットでそれらのクリップをデコードして出力させる。これにより、ヘンドエンド３４からそれらのクリップが送出される。
【０１５９】
なお、図１０に示したようにＰＧＭがプレイリストに加えられているためにクリップのグループ毎に送出トリガーが設定されている場合には、ステップＳ２５〜Ｓ２７の処理もそれらのグループ毎に行う。
【０１６０】
また、親局１から転送された属性の情報から（ただし、支局２側でプレイリストの変更としてこの属性を付与し直した場合には、その付与し直した属性の情報から）、繰り返し送出することを指示する属性がプレイリストに付与されていると判断した場合には、このステップＳ２７で、クリップをイベント番号順に繰り返しビデオサーバ３２から再生・出力させる。
【０１６１】
また、送出スタンバイを行っているクリップについてのトリム情報が親局１から転送されている場合には、このステップＳ２７で、ビデオサーバ３２に記録されているクリップを、そのトリム情報に基づいて編集して（トリム情報で定義された編集後のＩＮ点からＯＵＴ点までの部分を切り出して）ビデオサーバ３２から再生させる。
【０１６２】
このようにしてクリップの送出が完了すると、送出開始予定日時が２４時間以内であり且つ送出スタンバイを指示する属性が付与されているプレイリストであって、まだ送出スタンバイ及びクリップの送出を行っていないプレイリストが残っているか否かを判断する（ステップＳ２８）。
【０１６３】
残っていれば、ステップＳ２４に戻り、残りのプレイリストについても送出スタンバイ及びクリップの送出を行う。そして、全てのプレイリストについて送出スタンバイ及びクリップの送出が完了すると、処理を終了する。
【０１６４】
なお、このように図１７の画面で設定した時刻に自動的に送出スタンバイを行わせるのではなく、手動操作で送出スタンバイを行うこともできるようになっている。前述の図１６の画面の上端のアイコンＩ１４１をクリックすると、図１９に示すように、手動操作で送出スタンバイを行うための画面が表示される。
【０１６５】
この図１９の画面には、送出開始のイベント番号を入力するための枠Ｗ１４１や、手動操作で送出スタンバイを行って図１６の画面に戻るためのアイコンＩ１６１や、手動操作での送出スタンバイを行わないまま図１６の画面に戻るためのアイコンＩ１６２が存在する。
【０１６６】
この図１９の画面を表示させて操作を行うことにより、各支局２において、手動で送出スタンバイを行うこともできる。
【０１６７】
送出スタンバイが行われる状態で図１６の画面を表示させると、送出スタンバイを行っているプレイリストに載っているクリップが枠Ｗ１２１に一覧表示されるとともに、それらのクリップの送出が完了するまでの残り時間，それらのクリップの送出予定日，そのプレイリストのＩＤがそれぞれ枠Ｗ１２２，Ｗ１２３，Ｗ１２４に表示される。
【０１６８】
送出トリガーの内容が一定の時刻である場合には、枠Ｗ１２１中の送出トリガーの欄には、Ｃの文字と送出開始予定時刻とが表示される。図１６は、６時が送出トリガーであることにより「Ｃ００：０６：００」の文字がこの欄に表示された状態を描いている。
【０１６９】
他方、送出トリガーの内容がＧＰＩ信号である場合には「Ｋ」の文字だけがこの欄に表示され、送出トリガーの内容がパーソナルコンピュータ３１の操作である場合にはこの欄は空欄になる。
【０１７０】
また、枠Ｗ１２１に一覧表示されたクリップのうち、現在送出スタンバイされているクリップ（図の図１６の状態ではイベント番号００２のクリップ）は、他のクリップとは異なる色で表示される。
【０１７１】
以上に説明したように、このネットワークＣＡＴＶシステムでは、一度パーソナルコンピュータ３１に図１７の画面を表示させて送出スタンバイを行う時刻を設定しておくことにより、支局２側で、親局１から転送されたプレイリストに基づく送出スタンバイが、従来のような局員の作業を経ることなく毎日一定の時刻に自動的に行われるようになっている。
【０１７２】
したがって、支局２の局員の作業の負担が軽減されるとともに、人為ミスによりそのプレイリストに載っている素材が支局２から送出されなくなる事態が防止される。
【０１７３】
また、支局２側で送出トリガーを設定する操作を行うことなく、親局１側で設定した送出トリガーの到来によって、送出スタンバイが行われているクリップが支局２から送出される。したがって、この点でも支局２の局員の作業の負担が軽減される。
【０１７４】
また、プレイリストだけでなく、そのプレイリストに載っているクリップも広域ネットワーク３を介して親局１から支局２に転送されるので、支局２側で、プレイリスト及びクリップの配信を受けることと、プレイリストに基づく送出スタンバイと、送出トリガーの内容が一定の時刻や上位装置からの送信指示の信号（ＧＰＩ信号）である場合のクリップの送出とが、全て局員の作業を経ることなく自動的に行われるようになっている。
【０１７５】
したがって、支局２が独自に素材を作成せずに親局１から配信されたクリップだけを送出する場合には、システムの導入時にシステムの導入時に送出スタンバイを行う時刻を設定した以降は支局２を無人化することもできる。
【０１７６】
また、このように支局２で独自に素材を作成しない場合には、素材を作成する元になるＡＶデータを支局２のビデオサーバ３２に入力させる必要がないので、ビデオサーバ３２に入力スロットを搭載する必要がなくなる。したがって、ビデオサーバ３２に出力スロットを５つ搭載することができるので、支局２の送出能力を高めることができる。
【０１７７】
また、クリップについてのトリム情報が親局１から支局２に転送された場合には、支局２で、転送されたクリップがこのトリム情報に基づいて自動的に編集されて（一部が切り出されて）送出されるようになっている。
【０１７８】
また、親局１のパーソナルコンピュータ１１の一度の操作により、広域ネットワーク３を介して各支局２にプレイリスト及びクリップが転送されるので、短時間且つ簡単な作業によって親局１から各支局２に素材を配信できるようになっている。
【０１７９】
また、親局１では、ノンリニアアクセス可能な記録媒体であるハードディスクを用いたビデオサーバ１２にクリップを記録しているので、プレイリストに載っているクリップを迅速にビデオサーバ１２から再生・出力して各支局２に転送できるようになっている。
【０１８０】
また、各支局２でも、親局１から転送されたクリップをやはりハードディスクを用いたビデオサーバ３２に記録しているので、迅速にプレイリストに載っている順にクリップをビデオサーバ３２から再生・出力して送出できるようになっている。
【０１８１】
また、ＡＶデータを圧縮して作成した素材であるクリップが広域ネットワーク３を介して親局１から各支局２に転送されるので、転送時間が短縮されるとともに広域ネットワーク３の負荷が軽減されるようになっている。
【０１８２】
なお、以上の例ではＣＡＴＶサービスに本発明を適用しているが、別の例として、公共の場所に設置された大画面のディスプレイを用いて素材を送出するサービスにも本発明を適用してよい。
【０１８３】
図２０は、公共の場所の大画面ディスプレイを用いた送出サービスに本発明を適用したシステム（大画面ディスプレイをビルボード（広告掲示板）として用いるという意味で、ネットワークビルボードシステムと呼ぶ）の全体構成例を示しており、図１と共通する部分には同一の符号を付している。
【０１８４】
このネットワークビルボードシステムでは、センターサイト４１と複数のリモートサイト４２（４２−１〜４２−ｎ）とが、例えばＮＴＴのＩＳＤＮサービスであるＩＮＳ１５００を利用することにより、広域ネットワーク４３で結ばれている。各リモートサイト４２はそれぞれ日本国内あるいは海外の駅・空港の施設内等の大画面ディスプレイの設置場所に設けられており、センターサイト４１はそれらとは遠く離れた編集室内に設けられている。
【０１８５】
各リモートサイト４２では、ビデオサーバ３２の各出力スロットから出力された素材が、モニター３３−１〜３３−５に表示されるとともに、映像処理用のプロセッサ５１に供給され、このプロセッサ５１により例えば大画面ディスプレイ装置５２に画面分割して表示される。
【０１８６】
図１の親局１と違って、センターサイト４１からは素材は送出されないので、ビデオサーバ１２に搭載する出力スロットは、作成したクリップを出力してモニター１４−２で確認するための１つの出力スロットだけでよい。
【０１８７】
また、図１の支局２と違ってリモートサイト４２では素材が作成されることはないので、ビデオサーバ３２には入力スロットを搭載する必要がない。
【０１８８】
このネットワークビルボードシステムでも、センターサイト４１のパーソナルコンピュータ１１に図３〜図１５に示したのと同様な処理を行わせ、リモートサイト４２のパーソナルコンピュータ３１に図１６〜図１８に示したのと同様な処理を行わせることにより、ディスプレイの設置場所の側で、プレイリスト及びクリップの配信を受けることと、プレイリストに基づく送出スタンバイと、送出トリガーの内容が例えば一定の時刻である場合のクリップの送出とが、全て人の作業を経ることなく自動的に行われるようになる。
【０１８９】
したがって、ディスプレイの設置場所に出向く係員の作業の負担が軽減されるとともに、そのプレイリストに載っているクリップが人為ミスによって送出されなくなる事態が防止されるようになる。また、システムの導入時に送出スタンバイを行う時刻を設定した以降はディスプレイの設置場所を常時無人化することもできるようになる。
【０１９０】
また、以上の例では、親局１やセンターサイト４１において、１台のＶＴＲ１３に収録されたＡＶデータだけをビデオサーバ１２に入力させてクリップを作成している。しかし、別の例として、ビデオサーバ１２に入力スロット２２を２つ以上搭載することにより、２台以上のＶＴＲに収録されたＡＶデータをビデオサーバ１２に入力させてクリップを作成してもよい。また、ＶＴＲに収録されたＡＶデータ以外に、ネットワークを介して親局に送られるＡＶデータをビデオサーバ１２に入力させてクリップを作成してもよい。
【０１９１】
また、本発明を適用するネットワークＣＡＴＶシステムやネットワークビルボードシステムにおいて親局１，支局２やセンターサイト４１，リモートサイト４２で用いるビデオサーバは、図２に示したのとは異なる構成のもの（例えば、合計で４以下または６以上の入出力スロットを搭載可能なものや、光ディスク装置や半導体メモリを用いてクリップの記録・再生を行うもの）であってもよい。また、ビデオサーバ以外の適宜の記録再生装置を用いてクリップを記録・再生するようにしてもよい。
【０１９２】
また、以上の例では、１つの親局１（あるいは１つのセンターサイト４１）と複数の支局２（あるいは複数のリモートサイト４２）とを広域ネットワーク３（あるいは広域ネットワーク４３）で結んでいるが、１つの親局１（あるいは１つのセンターサイト４１）と１つの支局２（あるいは１つのリモートサイト４２）とを広域ネットワーク３（あるいは広域ネットワーク４３）で結んだり、複数の親局１（あるいは複数のセンターサイト４１）と１または複数の支局２（あるいは１または複数のリモートサイト４２）とを広域ネットワーク３（あるいは広域ネットワーク４３）で結んだりしてもよい。
【０１９３】
また、本発明は、ＣＡＴＶサービスや公共の場所の大画面ディスプレイを用いた送出サービスだけでなく、例えば講師の講義内容をＶＴＲに収録し、その収録内容を元にして編集室で作成した素材を大学の講義室や公会堂等で大画面ディスプレイ装置を用いて送出する場合のように、データ（素材等）の送出予定を示すプレイリストを作成する場所とそのプレイリストに基づいてデータを送出する場所とが離れているあらゆる場合に適用してよい。
【０１９４】
また、本発明は、以上の例に限らず、本発明の要旨を逸脱することなく、その他様々の構成をとりうることはもちろんである。
【０１９５】
【発明の効果】
以上のように、本発明によれば、データ送出部側で、プレイリスト作成部から転送されたプレイリストに基づく送出スタンバイが、人の作業を経ることなく一定の時刻に自動的に行われる。
【０１９６】
これにより、データ送出部での作業の負担が軽減されるという効果や、人為ミスによりプレイリストに載っているデータがデータ送出部から送出されなくなる事態が防止されるという効果が得られる。
【０１９７】
したがって、例えばＣＡＴＶサービスに本発明を適用すれば、支局側で、親局から配信されたプレイリストに基づく送出スタンバイを、従来のような局員の作業を経ることなく自動的に行えるようになるので、支局の局員の作業の負担が軽減されるとともに、そのプレイリストに載っている素材が人為ミスによって支局から送出されなくなる事態が防止されるようになる。
【０１９８】
あるいはまた、例えば公共の場所のディスプレイを用いた送出サービスに本発明を適用すれば、ディスプレイの設置場所の側で、編集室から配信されたプレイリストに基づく送出スタンバイを、従来のようなディスプレイの設置場所に出向く係員の作業を経ることなく自動的に行えるようになるので、その係員の作業の負担が軽減されるとともに、そのプレイリストに載っている素材が人為ミスによって送出されなくなる事態が防止されるようになる。
【０１９９】
また、本発明によれば、一度時刻を設定することにより、データ送出部側で、プレイリスト作成部から転送されたプレイリストに基づく送出スタンバイが、人の作業を経ることなく毎日一定の時刻に自動的に行われる。
【０２００】
これにより、データ送出部での作業の負担が一層軽減されるとともに、プレイリストに載っているデータが送出されなくなる事態が一層よく防止されるという効果が得られる。
【０２０１】
また、本発明によれば、データ送出部側で送出トリガーを設定する操作を行うことなく、プレイリスト作成部側で設定した送出トリガーの到来によって、送出スタンバイが行われているデータがデータ送出部から送出される。したがって、この点でもデータ送出部での作業の負担を軽減することができるという効果が得られる。
【０２０２】
また、本発明によれば、プレイリストだけでなく、そのプレイリストに載っているデータもネットワークを介してプレイリスト作成部からデータ送出部に転送されてデータ送出部で記録されるので、データ送出部側で、プレイリスト及びデータの配信を受けることと、プレイリストに基づく送出スタンバイと、送出トリガーの内容が例えば一定の時刻である場合のデータの送出とが、全て人の作業を経ることなく自動的に行われる。
【０２０３】
したがって、例えばデータ送出部が独自にデータを作成せずに配信されたデータだけを送出する場合には、一度時刻を設定した以降はデータ送出部を無人化することができるという効果も得られる。
【０２０４】
また、本発明によれば、プレイリスト作成部では、プレイリストに載っているデータを迅速に記録再生手段から再生して転送でき、データ送出部では、迅速にプレイリストに載っている順にデータを記録再生手段から再生して送出できるという効果も得られる。
【図面の簡単な説明】
【図１】本発明を適用したネットワークＣＡＴＶシステムの全体構成例を示す図である。
【図２】図１のビデオサーバ１２の構成例を示す図である。
【図３】図１のパーソナルコンピュータ１１に表示されるメインメニュー画面を示す図である。
【図４】クリップ作成用の画面を示す図である。
【図５】クリップ作成用の画面を示す図である。
【図６】クリップ作成用の画面を示す図である。
【図７】クリップ管理用の画面を示す図である。
【図８】クリップ管理用の画面を示す図である。
【図９】プレイリスト作成用の画面を示す図である。
【図１０】プレイリスト作成用の画面を示す図である。
【図１１】プレイリスト作成用の画面を示す図である。
【図１２】プレイリスト転送用の画面を示す図である。
【図１３】転送先設定用の画面を示す図である。
【図１４】図１の親局１と支局２との間での通信手順の概要を示す図である。
【図１５】クリップ転送用の画面を示す図である。
【図１６】送出スタンバイや送出の開始を行うための画面を示す図である。
【図１７】送出スタンバイを自動的に行う時刻の設定用の画面を示す図である。
【図１８】図２のパーソナルコンピュータ３１が送出スタンバイ及び送出開始のために実行する処理を示すフローチャートである。
【図１９】手動操作で送出スタンバイを行うための画面を示す図である。
【図２０】本発明を適用したネットワークビルボードシステムの全体構成例を示す図である。
【符号の説明】
１  ＣＡＴＶの親局、  ２−１〜２−ｎ  ＣＡＴＶの支局、  ３，４３  広域ネットワーク、  １１，３１  パーソナルコンピュータ、  １２，３２  ビデオサーバ、  １３  ＶＴＲ、  １４−１〜１４−５，３３−１〜３３−５  モニター、  １５，３４  ヘッドエンド、  １６，３５  イーサネット、  １７，３６ルーター、  ２１  ビデオサーバ内の制御部、  ２２  ビデオサーバ内の入力スロット、  ２３−１〜２３−４  ビデオサーバ内の出力スロット、  ２４  ビデオサーバ内のハードディスク装置、  ２５  ビデオサーバ内のインターフェース、  ２６  ビデオサーバ内のバス、  ２７  エンコーダ、  ２８−１〜２８−４  デコーダ、  ４１  センターサイト、  ４２−１〜４２−ｎ  リモートサイト、  ５１  映像処理用のプロセッサ、  ５２  大画面ディスプレイ装置
【図１】
0004356174.tif 000002
【図２】
0004356174.tif 000003
【図３】
0004356174.tif 000004
【図４】
0004356174.tif 000005
【図５】
0004356174.tif 000006
【図６】
0004356174.tif 000007
【図７】
0004356174.tif 000008
【図８】
0004356174.tif 000009
【図９】
0004356174.tif 000010
【図１０】
0004356174.tif 000011
【図１１】
0004356174.tif 000012
【図１２】
0004356174.tif 000013
【図１３】
0004356174.tif 000014
【図１４】
0004356174.tif 000015
【図１５】
0004356174.tif 000016
【図１６】
0004356174.tif 000017
【図１７】
0004356174.tif 000018
【図１８】
0004356174.tif 000019
【図１９】
0004356174.tif 000020
【図２０】
0004356174.tif 000021